(57)【要約】【目的】  電源コードを天井や天井裏に這わす作業を不要にできる投写型映像表示システム及びコネクタ装置を提供する。【構成】  コネクタ装置３は、装着された投写装置本体部２を姿勢変更可能に支持すると共にこの投写装置本体部２への電力供給及び信号供給を行う。コネクタ装置３は電球の口金に一致する口金部３ａを備える。前記口金部３ａが電球ソケットに装着されることで得られた電力は、コード３ｆ及び電力用端子３ｉを介して投写装置本体部２に供給される。コネクタ本体部３ｅには、無線ＬＡＮカード４が装着される装着部３ｇ、メモリカード５が装着される装着部３ｈ、及び前記投写装置本体部２の背面に設けられた信号端子２ｂに接続されることになる信号端子３ｊが設けられている。【選択図】        図１
2005099588.tif 000002
【特許請求の範囲】
【請求項１】
光源から出射された光を変調して投写する投写型映像表示システムにおいて、電球の口金に一致する口金部を有し、当該口金部が電球ソケットに装着されることで電力を得るように構成されたことを特徴とする投写型映像表示システム。
【請求項２】
請求項１に記載の投写型映像表示システムにおいて、投写装置本体部とコネクタ装置とが連結されて成り、前記コネクタ装置は、前記口金部と、前記投写装置本体部に電力を供給する電力供給端子と、前記口金部と前記電力供給端子とを電気的に接続する電力経路と、を備えたことを特徴とする投写型映像表示装置。
【請求項３】
請求項２に記載の投写型映像表示装置において、前記投写装置本体部がコネクタ装置に姿勢変更可能に連結されることを特徴とする投写型映像表示装置。
【請求項４】
請求項１乃至請求項３のいずれかに記載の投写型映像表示システムにおいて、光源から出射された光を映像光化する変調状態と照明光用に変調又はそのまま出射する状態との切替が可能に構成されたことを特徴とする投写型映像表示システム。
【請求項５】
請求項１乃至請求項４のいずれかに記載の投写型映像表示システムにおいて、通信により外部機器から映像信号及び／又は制御信号を受信する受信部を備えたことを特徴とする投写型映像表示システム。
【請求項６】
請求項１乃至請求項５のいずれかに記載の投写型映像表示システムにおいて、板状メモリが装着されるメモリ装着部を有し、前記板状メモリから読み出した画像に基づいて光を変調するように構成されたことを特徴とする投写型映像表示システム。
【請求項７】
機器が着脱可能に装着されるコネクタ装置であって、電球の口金に一致する口金部と、装着される機器に電力を供給する電力供給端子と、前記口金部と前記電力供給端子とを電気的に接続する電力経路と、を備えたことを特徴とするコネクタ装置。
【請求項８】
請求項７に記載のコネクタ装置において、前記機器を姿勢変更可能に支持する連結部を備えたことを特徴とする投写型映像表示装置。
【請求項９】
請求項７又は請求項８に記載のコネクタ装置において、通信により外部機器から映像信号及び／又は制御信号を受信する受信部と、受信した映像信号及び／又は制御信号を装着機器に供給する信号出力端子と、を備えたことを特徴とするコネクタ装置。
【請求項１０】
請求項７乃至請求項９のいずれかに記載のコネクタ装置において、板状メモリが装着されるメモリ装着部と、前記板状メモリからデータを読み出すデータ読出部と、読み出したデータを装着機器に供給する出力端子と、を備えたことを特徴とするコネクタ装置。
【発明の詳細な説明】
【技術分野】
【０００１】
この発明は、投写型映像表示システム及びコネクタ装置に関する。
【背景技術】
【０００２】
従来より、液晶パネルを用いて映像投写を行う液晶プロジェクタや微小鏡を多数配置してなるライトバルブを利用したプロジェクタなどが提案されている。これらプロジェクタは、机上に置かれて使用されり、或いは、天井から吊り下げられて使用される。また、投写レンズユニットをプロジェクタ本体部に対して着脱自在に設け、投写レンズユニットの交換が行えるようにしたプロジェクタも知られている（特許文献１参照）。
【特許文献１】特開２００３−１９５４１９号
【発明の開示】
【発明が解決しようとする課題】
【０００３】
ところで、プロジェクタは商用電源のコンセント（プラグソケット）にプラグを差し込むことで電力を受ける。プロジェクタを机上に設置するときには、特段の不都合はないものの、プロジェクタを天井に設置する場合には、電源コードの垂れ下りが部屋の美観を損ねるため、電源コードを天井や天井裏に這わす作業が必要になる。
【０００４】
この発明は、上記の事情に鑑み、電源コードを天井や天井裏に這わす作業を不要にできる投写型映像表示システム及びコネクタ装置を提供することを目的とする。
【課題を解決するための手段】
【０００５】
この発明の投写型映像表示システムは、上記課題を解決するために、光源から出射された光を変調して投写する投写型映像表示システムにおいて、電球の口金に一致する口金部を有し、当該口金部が電球ソケットに装着されることで電力を得るように構成されたことを特徴とする。かかる構成であれば、口金部が電球ソケットに装着されることで電力を得ることができるので、電源コードを天井や天井裏に這わす作業を不要にできる。
【０００６】
投写装置本体部とコネクタ装置とが連結されて成り、前記コネクタ装置は、前記口金部と、前記投写装置本体部に電力を供給する電力供給端子と、前記口金部と前記電力供給端子とを電気的に接続する電力経路と、を備えていてもよい。また、前記投写装置本体部がコネクタ装置に姿勢変更可能に連結される構成としてもよい。また、光源から出射された光を映像光化する変調状態と照明光用に変調又はそのまま出射する状態との切替が可能に構成されていてもよい。また、通信により外部機器から映像信号及び／又は制御信号を受信する受信部を備えていてもよい。また、板状メモリが装着されるメモリ装着部を有し、前記板状メモリから読み出した画像に基づいて光を変調するように構成されていてもよい。
【０００７】
また、この発明のコネクタ装置は、機器が着脱可能に装着されるコネクタ装置であって、電球の口金に一致する口金部と、装着される機器に電力を供給する電力供給端子と、前記口金部と前記電力供給端子とを電気的に接続する電力経路と、を備えたことを特徴とする。前記機器を姿勢変更可能に支持する連結部を備えていてもよい。また、通信により外部機器から映像信号及び／又は制御信号を受信する受信部と、受信した映像信号及び／又は制御信号を装着機器に供給する信号出力端子と、を備えていてもよい。また、板状メモリが装着されるメモリ装着部と、前記板状メモリからデータを読み出すデータ読出部と、読み出したデータを装着機器に供給する出力端子と、を備えていてもよい。
【発明の効果】
【０００８】
この発明によれば、プロジェクタ等を天井等に配置することにおいて、電源コードを天井や天井裏に這わす作業を不要にできる等の諸効果を奏する。
【発明を実施するための最良の形態】
【０００９】
以下、この発明の実施形態の投写型映像表示システム及びコネクタ装置を図１乃至図８に基づいて説明する。
【００１０】
図１は投写型映像表示システムの外観を示した斜視図であり、図２は投写型映像表示システムを示したブロック図である。
【００１１】
この投写型映像表示システム１は、投写装置本体部２とコネクタ装置３とから成る。
【００１２】
投写装置本体部２は、映像信号処理回路２３、ガンマ補正回路２４、液晶表示パネル（ＬＣＤ）２５等を備え、光源２１から出射された光を前記液晶表示パネル２５にて変調して投写する。投写装置本体部２の背面には電力用プラグ２ａ及び信号端子２ｂ（図２参照）が設けられている。
【００１３】
コネクタ装置３は、装着された投写装置本体部２を支持すると共にこの投写装置本体部２への電力供給及び信号供給を行う。コネクタ装置３は電球の口金に一致する口金部３ａを備える。前記口金部３ａが電球ソケットに装着されることで得られた電力は、コード３ｆ及び電力用端子３ｉを介して投写装置本体部２に供給される。前記口金部３ａは円筒部３ｂ上に設けられている。円筒部３ｂの下面には円盤部３ｃが垂直軸回りに回動可能に設けられている。円盤部３ｃの下面には２本の支持棒部３ｄが固定されている。コネクタ本体部３ｅは前記支持棒部３ｄに水平軸３ｋを介して連結されており、前記水平軸３ｋ回りに回動できるようになっている。コード３ｆは前記口金部３ａに電気的に接続されている。コネクタ本体部３ｅ内に設けられているマイコン３１等には前記コード３ｆを介して電力が供給される。また、コネクタ本体部３ｅには、無線ＬＡＮカード４が装着される装着部３ｇ、メモリカード５が装着される装着部３ｈ、及び前記投写装置本体部２の背面に設けられた信号端子２ｂに接続されることになる信号端子３ｊが設けられている。
【００１４】
図２に示すように、コネクタ本体部３ｅ内のマイコン３１は、メモリインターフェイス３４を介してメモリカード５から画像データを読み出し、この読み出した画像データを送受信インターフェイス３３及び信号端子３ｊを介して投写装置本体部２に供給する。また、マイコン３１は、パーソナルコンピュータ５０から無線ＬＡＮ４０経由で送信されてきた画像データを、無線ＬＡＮカード４を介して受け取り、この画像データを送受信インターフェイス３３及び信号端子３ｊを介して投写装置本体部２に供給する。コネクタ本体部３ｅ内の電源回路３２は口金部３ａ及びコード３ｆを介して電力供給を受ける。
【００１５】
投写装置本体部２の電源回路２８は、電力用プラグ２ａを介してコネクタ本体部３ｅから電力供給を受ける。また、投写装置本体部２のマイコン２６は、信号端子２ｂ及び送受信インターフェイス２７を介して受信した画像データ（符号データ）を映像復号部２２に供給する。映像復号部２２は符号データを復号して映像信号を生成し、これをＯＳＤ（オンスクリーンディスプレイ）内蔵の映像信号処理回路２３に供給する。マイコン２６は、信号端子２ｂ及び送受信インターフェイス２７を介して文字データを受信した場合、その文字をＯＳＤ表示するよう映像信号処理回路２３を制御することもできる。
【００１６】
上記の投写型映像表示システム１であれば、コネクタ装置３の口金部３ａが電球ソケットに装着されることで電力を得ることができるので、電源コードを天井や天井裏に這わす作業を不要にできる。また、前記投写装置本体部２が前記コネクタ装置３に姿勢変更可能に連結されているので、所望の方向に投写を行うことができる。また、投写型映像表示システム１は投写装置本体部２とコネクタ装置３とから成るので、投写装置本体部２のみ交換するといったことが可能となる。また、無線ＬＡＮカー４ドやメモリカード５を装着できるので、映像コード無しで投影したい映像（映像ソフトウェア）を投写装置本体部２に供給することができる。ここで、例えば、火災警報装置からの警報信号がパーソナルコンピュータ５０に供給されるようにしておき、この警報信号を受けたパーソナルコンピュータ５０が各々の投写型映像表示システム１に予め用意してある避難誘導映像を供給し、各投写型映像表示システム１では例えばそれまで投影していた広告映像に代えて避難誘導映像を投影するといったことも可能となる。また、メモリカード５に避難誘導映像を記録しておき、警報時にパーソナルコンピュータ５０から各投写型映像表示システム１へメモリカード５の映像を投影するよう制御信号（指令）を与えることもできる。なお、電力ケーブルを利用して情報通信を行うシステムを利用する場合には、当該情報を口金部３ａを介して受け取ることが可能である。
【００１７】
図３に示す投写型映像表示システム１′は、投写装置本体部２′とコネクタ装置３′とから成る。コネクタ装置３′にはボールジョイント３ｍが設けられており、このボールジョイント３ｍに支持金具３ｌが可動に連結されている。投写装置本体部２′は支持金具３ｌに装着される。また、信号コード（例えば、ＵＳＢケーブル）７によってコネクタ装置３′から投写装置本体部２′に信号供給が行われる。コネクタ本体部３ｅ′にはコンセント（プラグソケット）が設けられており、投写装置本体部２′のコード２ｃを前記コンセントに装着することでコネクタ装置３′から投写装置本体部２′に電力供給が行われる。
【００１８】
図４に示す投写型映像表示システム１″は、投写装置本体部６とコネクタ装置３″とから成る。このコネクタ装置３″はメモリカードや無線ＬＡＮカードの装着ができない構成であり、電力供給機能のみ備えることとし、投写装置本体部６側において無線ＬＡＮカードが装着される装着部６ａ及びメモリカードが装着される装着部６ｂを備えている。コネクタ本体部３ｅ″にはコンセント（プラグソケット）が設けられており、投写装置本体部６のコード６ｃを前記コンセントに装着することでコネクタ装置３″から投写装置本体部６に電力供給が行われる。
【００１９】
図５は投写装置本体部６を示したブロック図である。投写装置本体部６は、映像信号処理回路６３、ガンマ補正回路６４、液晶表示パネル６５等を備え、光源から出射された光を前記液晶表示パネル６５にて変調して投写する。電源回路６１にはコード６ｃにて電力が供給される。投写装置本体部６のマイコン６６は、無線ＬＡＮカード４を介して受信した画像データ（符号データ）やメモリインターフェイス６８にてメモリカードから読み出した画像データ（符号データ）を映像復号部６２に供給する。映像復号部６２は符号データを復号して映像信号を生成し、これをＯＳＤ（オンスクリーンディスプレイ）内蔵の映像信号処理回路６３に供給する。マイコン６６は、無線ＬＡＮカード４を介して文字データを受信した場合、その文字をＯＳＤ表示するよう映像信号処理回路６３を制御することもできる。また、投写装置本体部６にはリモコン信号受光部６７が設けられており、リモコン送信機６０によって投写装置本体部６を操作することができる。
【００２０】
図６に示す投写型映像表示システム１００は、投写装置１０１と市販の一般的な照明器具１０２とから成る。投写装置１０１はその背面側に電球の口金に一致する口金部１０１ａを備える。前記口金部１０１ａが電球ソケット１０２ａに装着されることで投写装置１０１は電力を得る。投写装置１０１の投写向きの調整は照明器具１０２の回動機能を利用して行う。また、投写装置１０１は例えば正方形状の液晶表示パネルを備え、この液晶表示パネルの駆動（描画）制御にて映像を９０°回転させたり、１８０°回転させることができる。また、図７に示すように、液晶表示パネル１０１ｂと光拡散板１０１ｃとが９０°交差して連結され、回動軸１０１ｄによる回動で液晶表示パネル１０１ｂを光路上に位置させる状態と、光拡散板（すりガラス板等）１０１ｃを光路上に位置させる状態とを選択できるようになっている。液晶表示パネル１０１ｂを光路上に位置させれば、通常のプロジェクタとなる。一方、光拡散板１０１ｃを光路上に位置させれば、照明装置となる。照明装置とすることにおいて、前記光拡散板１０１ｃは必須のものではないし、また、光拡散板１０１ｃに代えて色フィルターを備えることとしてもよい。また、前記回動をモータなどのアクチュエータにて行うこととし、リモコン送信機等を用いて投写装置１０１に回動指示を与えるように構成してもよい。また、液晶表示パネル１０１ｂへ信号を供給するフレキシブル基板１０１ｆは前記回動に鑑みて余裕を持たせている。なお、回動に限らず、スライド移動にて液晶表示パネル１０１ｂと光拡散板１０１ｃとの入れ替えが行われるように構成してもよい。
【００２１】
図８では、コネクタ装置１１０に液晶モニタ１１１を装着した場合を例示している。コネクタ装置１１０は、装着された液晶モニタ１１１を姿勢変更可能に支持すると共にこの液晶モニタ１１１への電力供給及び信号供給を行う。コネクタ装置１１０は電球の口金に一致する口金部１１０ａを備える。前記口金部１１０ａが電球ソケットに装着されることで得られた電力は液晶モニタ１１１に供給される。コネクタ装置１１０にはボールジョイント１１０ｂが設けられており、このボールジョイント１１０ｂに支持金具１１０ｃが可動に連結されている。液晶モニタ１１１は支持金具１１０ｃに装着される。コネクタ装置１１０は、無線ＬＡＮカード４が装着される装着部１１０ｄ、メモリカード５が装着される装着部１１０ｅが設けられている。また、信号コード（例えば、ＵＳＢケーブル）１１２によってコネクタ装置１１０から液晶モニタ１１１に信号供給が行われる。コネクタ装置１１０にはコンセント（プラグソケット）が設けられており、液晶モニタ１１１のコード１１１ａを前記コンセントに装着することでコネクタ装置１１０から液晶モニタ１１１に電力供給が行われる。
【図面の簡単な説明】
【００２２】
【図１】同図（ａ）はこの発明の実施形態の投写型映像表示システムを示した斜視図であり、同図（ｂ）は投写装置本体部をコネクタ装置から離脱させた状態を示した斜視図である。
【図２】図１の投写型映像表示システムのブロック図である。
【図３】投写型映像表示システムの他の実施例を示した側面図である。
【図４】投写型映像表示システムの他の実施例を示した側面図である。
【図５】図４の投写型映像表示システムのブロック図である。
【図６】投写型映像表示システムの他の実施例を示した側面図である。
【図７】図６の投写装置の光学系を簡略的に示した説明図である。
【図８】コネクタ装置に液晶モニタを装着した状態を示した側面図である。
【符号の説明】
【００２３】
１  １′  １″  １００  投写型映像表示システム
２  ２′  ６            投写装置本体部
３  ３′  ３″  １１０  コネクタ装置
３ａ                    口金部
１０１                  投写装置
１０２                  照明器具
【図１】
2005099588.tif 000003
【図２】
2005099588.tif 000004
【図３】
2005099588.tif 000005
【図４】
2005099588.tif 000006
【図５】
2005099588.tif 000007
【図６】
2005099588.tif 000008
【図７】
2005099588.tif 000009
【図８】
2005099588.tif 000010